(57)【特許請求の範囲】
【請求項１】
空気入りタイヤと、そのタイヤ内腔面に装着された制音具とからなる制音具付き空気入りタイヤであって、
前記制音具は、タイヤ周方向に沿って配された長尺のスポンジ材の端面を突き合わせることによって環状に形成され、
前記端面の突合面が、実質的に平面であるとともに、
前記突合面は、タイヤ回転軸を含むタイヤ子午線断面の一部をなす基準面に対して傾けられており、
しかも前記制音具は、タイヤ内腔面への取付向きを指定する表示部を内周面側に有することを特徴とする制音具付き空気入りタイヤ。
【請求項２】
前記突合面は、前記基準面に対して、該基準面を通るタイヤ軸方向線の回りで傾けられている請求項１記載の制音具付き空気入りタイヤ。
【請求項３】
前記突合面は、前記基準面に対して、該基準面を通るタイヤ半径方向線の回りで傾けられている請求項１記載の制音具付き空気入りタイヤ。
【請求項４】
前記突合面は、前記基準面に対して、該基準面を通るタイヤ軸方向線及び該基準面を通るタイヤ半径方向線の周りで傾けられている請求項１記載の制音具付き空気入りタイヤ。
【請求項５】
前記制音具は、複数の長尺のスポンジ材からなることにより、２以上の前記突合面を具える請求項１乃至４のいずれかに記載の制音具付き空気入りタイヤ。
【請求項６】
前記制音具を構成する長尺のスポンジ材は、タイヤ内腔に装着される前において、その全長さが、タイヤ内腔の内周長さよりも大きい請求項１乃至５の何れかに記載の制音具付き空気入りタイヤ。
【発明の詳細な説明】
【技術分野】
【０００１】
本発明は、タイヤ内腔に装着された制音具によって空洞共鳴を抑制し得る制音具付き空気入りタイヤに関する。
【背景技術】
【０００２】
タイヤ騒音の一つとして、約５０〜４００Ｈｚの周波数域で発生するロードノイズがある。これは、タイヤ内腔内で生じる気柱共鳴（空洞共鳴）が主な原因である。そこで、タイヤ内腔にスポンジ材からなるタイヤの制音具を装着することによって、ロードノイズを低減することが例えば、下記特許文献１で提案されている。この制音具は、継目のない環状に形成され、タイヤ内腔内に圧縮された状態で配されている。
【０００３】
【特許文献１】特開２００５−２５４９２４号公報
【発明の開示】
【発明が解決しようとする課題】
【０００４】
しかしながら、上述のようなタイヤの制音具では、スポンジ材を継目のない環状体に形成するために、タイヤサイズ毎に成形型が必要になるなど製造コストが増大するという問題があった。
【０００５】
本発明は、以上のような実状に鑑み案出されたもので、制音具をタイヤ周方向に沿って配した長尺のスポンジ材の端面を突き合わせることによって環状に形成し、しかも、前記端面の突合面を、タイヤ回転軸を含むタイヤ子午線断面の一部をなす基準面に対して傾けられた実質的な平面とすることを基本として、空洞共鳴の抑制効果を維持しつつ、制音具の製造コストを低減し得る制音具付き空気入りタイヤを提供することを主たる目的としている。
【課題を解決するための手段】
【０００６】
本発明のうち請求項１記載の発明は、空気入りタイヤと、そのタイヤ内腔面に装着された制音具とからなる制音具付き空気入りタイヤであって、前記制音具は、タイヤ周方向に沿って配された長尺のスポンジ材の端面を突き合わせることによって環状に形成され、しかも、前記端面の突合面が、実質的に平面であるとともに、前記突合面は、タイヤ回転軸を含むタイヤ子午線断面の一部をなす基準面に対して傾けられており、しかも前記制音具は、タイヤ内腔面への取付向きを指定する表示部を内周面側に有することを特徴とする。
【０００７】
また請求項２記載の発明は、前記突合面は、前記基準面に対して、該基準面を通るタイヤ軸方向線の回りで傾けられている請求項１記載の制音具付き空気入りタイヤである。
【０００８】
また請求項３記載の発明は、前記突合面は、前記基準面に対して、該基準面を通るタイヤ半径方向線の回りで傾けられている請求項１記載の制音具付き空気入りタイヤである。
【０００９】
また請求項４記載の発明は、前記突合面は、前記基準面に対して、該基準面を通るタイヤ軸方向線及び該基準面を通るタイヤ半径方向線の周りで傾けられている請求項１記載の制音具付き空気入りタイヤである。
【００１１】
また請求項５記載の発明は、前記制音具は、複数の長尺のスポンジ材からなることにより、２以上の前記突合面を具える請求項１乃至４のいずれかに記載の制音具付き空気入りタイヤである。
【００１２】
また請求項６記載の発明は、前記制音具を構成する長尺のスポンジ材は、タイヤ内腔に装着される前において、その全長さが、タイヤ内腔の内周長さよりも大きい請求項１乃至５の何れかに記載の制音具付き空気入りタイヤである。
【発明の効果】
【００１３】
本発明の制音具付き空気入りタイヤは、タイヤ内腔面に装着された制音具が、長尺のスポンジ材がタイヤ周方向に沿って配されるとともに、その端面を突き合わせることによって環状に形成される。従って、例えば連続成形された直線状のスポンジ原反を必要な長さに切断したスポンジ材を用いて容易に環状に形成し得る結果、空洞共鳴の抑制効果を維持しつつ、継目のない環状体からなる制音具に比べて製造コストを大幅に低減し得る。しかも、制音具は、前記端面を突き合わせた突合面が、実質的な平面に形成されるため、前記端面での複雑な切断加工や端面処理などを施す必要がなく、スポンジ材の製造工程を簡略化してコストを抑制しうる。
【００１４】
また、突合面が基準面に対して傾けられることにより、基準面を含む平面に比して突合面の面積が増大する。これは、突合面により大きな摩擦力と接着面とを与えるので、スポンジ材の端面同士の接合力を向上させ、制音具の破損などを防止するのに役立つ。また、傾けられた突合面は、トレッド部から入力される衝撃を斜面に沿って緩和し、突合面での破損を防止するのに役立つ。
【発明を実施するための最良の形態】
【００１５】
以下、本発明の実施の一形態が図面に基づき説明される。
図１は、本発明の実施形態として、制音具付き空気入りタイヤ１の断面図、図２は、そのタイヤ赤道Ｃに沿った断面図をそれぞれ示す（ただし、図２において、スポンジ材の端面の突合面の形状は参考例のものとする）。
【００１６】
本発明に係る制音具付空気入りタイヤ１は、空気入りタイヤ（以下、単に「タイヤ」ということがある）３と、そのタイヤ内腔面６に装着された制音具７とから構成される。
【００１７】
前記タイヤ３は、トレッド部３ａからサイドウォール部３ｂをへてビード部３ｃのビードコア３ｆに至るトロイド状のカーカス３ｄと、そのタイヤ半径方向外側に配されたベルト層３ｅとを具える。また、タイヤ３がリム２に装着されることにより、タイヤ内腔面６とリム外表面とで囲まれる前記タイヤ内腔５が構成される。なお、タイヤ３として、本実施形態では、騒音低減が特に望まれている乗用車用ラジアルタイヤが示される。
【００１８】
前記制音具７は、図３（ａ）に示されるように、長尺のスポンジ材１２を、トレッド部３ａの内側のタイヤ内腔面６にタイヤ周方向に沿って湾曲させて配するとともに、図２及び図３（ｂ）に示されるように、その端面１２ｅ、１２ｅを突き合わせることにより環状に形成される。なお、本実施形態では、制音具７のタイヤ軸方向の幅の中心が、タイヤ赤道Ｃと実質的に一致するようにタイヤ内腔面６に装着されているが、必要に応じて制音具７の位置を変更しても良い。なお、図３（ａ）、（ｂ）において、スポンジ材の端面の突合面の形状は参考例のものとする。
【００１９】
また、図３（ａ）に示されるように、長尺なスポンジ材１２は、タイヤ半径方向の外側に向くことが予定されている外面１２ａ、その反対側の面である内面１２ｂ、両側面１２ｃ及び長手方向の端面１２ｅを含み、端面１２ｅを含む各面が実質的に平面に形成されている。また、前記制音具７は、スポンジ材１２の端面１２ｅ、１２ｅを突き合せた突合面８が、実質的に平面に形成される。上述のようなスポンジ材１２は、例えば長手方向に連続成型される直線状のスポンジ原反を、所定長さでかつ前記長手方向と直角に切断することで容易に得られ、複雑な切断加工や端部処理を施す必要がない。従って、制音具７のコストを大幅に削減しうる。また、制音具７は、スポンジ材１２の前記端面１２ｅ、１２ｅが互いに同形状の平面をなすため、これらを密着させることで容易に連続した環状体に形成でき生産性が良い。従って、本発明の制音具付空気入りタイヤ１では、従来と同様の空洞共鳴の抑制効果を維持しつつ制音具７の製造コストを大幅に低減し得る。
【００２０】
前記実施形態の制音具７は、一つの長尺のスポンジ材１２から形成されているが、例えば、タイヤ周方向の長さがより小さいスポンジ材１２をタイヤ周方向に突き合わせて配し、２以上の突合面８を含む環状体として形成されても良い。このような態様では、１個当たりのスポンジ材１２を小型化でき、可搬性や保管性を高め得る。
【００２１】
本実施形態の制音具７は、そのタイヤ回転軸を含むタイヤ子午線断面における断面形状が横長矩形状に形成されるが、例えば、断面における幅がタイヤ半径方向内側に向かって漸減する台形状等で形成されても良いなど、矩形以外でも適宜定めることができる。
【００２２】
前記制音具７を構成するスポンジ材１２は、例えばゴム又は合成樹脂を発泡させた連続及び／又は独立気泡を有するものが好ましい。このようなスポンジ材は、防振性、吸音性が高いため、タイヤ内腔５内で生じた音エネルギーを効果的に吸収してロードノイズを低減し得る。なお、スポンジ材としては、特に限定されないが、制音性、軽量、発泡の調節容易性及び耐久性などの観点から、エーテル系ポリウレタンスポンジが好ましい。また、スポンジ材１２の比重は、０．００５〜０．０６０が好ましい。このような低比重のスポンジ材は、タイヤ重量やタイヤバランスの悪化を抑え、かつ空隙率を高めて吸音性をより一層向上しうる。
【００２３】
また、前記制音具７は、タイヤ内腔面６に装着される前の長尺な状態において、その全長さが、該制音具７が取り付けられるタイヤ内腔面６の内周長さよりも大きいことが望ましい。これにより、制音具７は、圧縮された状態でタイヤ内腔面６に装着される。従って、制音具７には、図２に示されるように、突合面８において端面１２ｅ、１２ｅを互いに圧接する周方向の力Ｆ２が生じるとともに、タイヤ内腔面６に向く半径方向の力Ｆ１が生じ、制音具７とタイヤ内腔面６との密着性を高めうる。これは、搬送時や走行時において、制音具７のタイヤ内腔面６からの外れ等を防止するのに役立つ。
【００２４】
なお、前記制音具７のタイヤ内腔面６に装着される前の全長さが、タイヤ内腔面６の内周長さに対して著しく大きくなると、タイヤへの装着時に制音具７を過度に圧縮し、皺等が発生するおそれがあり、逆に著しく小さくなると、制音具７とタイヤ内腔面６との密着性が低下して外れ易くなるおそれがある。このような観点より、制音具７の装着前の全長さは、好ましくはタイヤ内腔面６の内周長さの１．０倍以上、さらに好ましくは１．０１倍以上が望ましく、また、好ましくは１．１倍以下、より好ましくは、１．０５倍以下が望ましい。
【００２５】
図４（ａ）に拡大して示されるように、制音具７の端面１２ｅ、１２ｅ同士は、固着されることが好ましい。これにより、制音具７は、端面１２ｅ、１２ｅ同士の接合力を向上させ、破損などを防止するのに役立つ。前記固着手段として、例えば両面テープ２０及び／又は接着剤２１などが好適である。生産性の観点より、両面テープ２０が望ましい。また、両面テープ２０としては、アクリル系粘着剤を使用したものが好適であり、接着剤２１としては、スポンジ材、特にエーテル系ポリウレタンスポンジ材を強固に接着しうるイソシアネート化合物又はイソシアネート末端プレポリマーからなるものが望ましい。なお、両面テープなどを介することにより、端面１２ｅ同士が直接突き合わされていない場合、前記突合面８は、端面１２ｅ、１２ｅの中間に位置する中間面として定められる。
【００２６】
また、図５（ａ）には参考例として、制音具７の継ぎ目部分をタイヤ内腔側から見た正面図、同図（ｂ）はそのＡ−Ａ断面図、同図（ｃ）は制音具７の継ぎ目部分の斜視図をそれぞれ示す。この実施形態の突合面８は、タイヤ回転軸を含むタイヤ子午線断面の一部をなす。このような突合面８は、スポンジ材１２の端面１２ｅをその長手方向と直角に切断することで形成できる。
【００２７】
また、図６、図８及び図９に示されるように、本発明では、前記突合面８は、タイヤ回転軸を含む子午線断面の一部をなす基準面Ｄｓに対して傾けられる。突合面８が基準面Ｄｓに対して傾けられることにより、図５の態様に比べて突合面８の面積が増大する。これは、突合面８により大きな摩擦力と接着面とを与えるので、スポンジ材１２の端面１２ｅ同士の接合力を向上させ、制音具７の破損などを防止するのに役立つ。また、傾けられた突合面８は、トレッド部３ａから入力される衝撃を斜面に沿って緩和し、突合面８での破損を防止するのに役立つ。
【００２８】
図６の実施形態では、制音具７の突合面８は、基準面Ｄｓに対して、該基準面Ｄｓを通るタイヤ軸方向線Ｌｓの回りで傾けられたものが例示される。このような突合面８は、とりわけタイヤ半径方向の衝撃に対して優れた耐剥離性能を発揮できる。
【００２９】
また、突合面８の耐久性を向上させるために、突合面８は、本実施形態のように、スポンジ材１２のタイヤ半径方向の内面１２ｂから外面１２ａに向かってタイヤ回転方向Ｔに対して先着側へ傾けられるのが望ましい。図７（ａ）に示されるように、摩擦によってタイヤ内腔面６に装着されている制音具７は、タイヤの回転よりもわずかに遅れて回転する。これにより、タイヤ内腔面６に装着されているスポンジ材１２の外面１２ａには、せん断力Ｇが作用する。このとき、タイヤ回転方向Ｔに対して先着側に位置するスポンジ材１２の端面１２ｅと外面１２ａとがなすコーナ部Ｙ１は、鈍角となるため剛性が高く、タイヤ回転方向Ｔと同一方向の前記せん断力Ｇに対しても変形することなくその形状を維持できる。また、後着側のスポンジ材１２の端面１２ｅと外面１２ａとがなすコーナ部Ｙ２は鋭角となって剛性が低くなるが、このコーナ部Ｙ２はせん断力Ｇによって、突合面８に向かって引っ張られるため、突合面８での剥離を招くことはない。
【００３０】
他方、図７（ｂ）に示されるように、突合面８がタイヤ回転方向Ｔに対して後着側へ傾けられた場合、先着側のコーナ部Ｙ１が鋭角となって剛性が低下するため、前記せん断力Ｇによってこの部分が突合面８から剥離し、かつ、いわゆる”逆むけ”が生じやすくなるため好ましくない。
【００３１】
前記突合面８と基準面Ｄｓとがなす角度θ１は、好ましくは０度よりも大かつ８５度以下が望ましい。前記角度θ１が０度の場合、突合面８の面積を増加させることができず、逆に大きすぎると、端面１２ｅ、１２ｅの面積が過度に大きくなるため、その切断加工等が頻雑化し、製造コストを増加させるおそれがある他、端面１２ｅ、１２ｅを突き合わせたときに滑り易くなるため、制音具７の取付時の作業効率が低下するおそれがある。このような観点により、前記角度θ１は、より好ましくは５度以上、さらに好ましくは３０度以上が望ましく、また、より好ましくは７０度以下、さらに好ましくは６０度以下が望ましい。
【００３２】
また、図８の実施形態では、制音具７の突合面８は、基準面Ｄｓに対して、該基準面Ｄｓを通るタイヤ半径方向線Ｌｒの回りでのみ傾けられたものが例示される。このような突合面８は、とりわけ、タイヤ軸方向からの衝撃に対して高い耐剥離性能を発揮し得る点で望ましい。なお、前記突合面８と基準面Ｄｓとがなす角度θ２は、０度よりも大かつ６０度以下が望ましい。前記角度θ２が０度の場合、突合面８の面積を増加させることができず、逆に６０度を超えると、その切断加工等が頻雑化し、製造コストを増加させるおそれがある他、端面１２ｅ、１２ｅを突き合わせたときに接着面積が過度に大きくなるため、制音具７の取付時の作業効率が低下するおそれがある。このような観点により、前記角度θ２は、より好ましくは５度以上、さらに好ましくは３０度以上が望ましく、また、より好ましくは５０度以下、さらに好ましくは４５度以下が望ましい。
【００３３】
さらに、図９の実施形態では、前記突合面８は、基準面Ｄｓに対して、該基準面Ｄｓを通るタイヤ軸方向線Ｌｓ及び該基準面Ｄｓを通るタイヤ半径方向線Ｌｒの周りでともに傾けられたものが例示される。このような突合面８は、タイヤ軸方向及びタイヤ半径方向からの衝撃に対してバランス良く耐剥離性能を発揮できる点で望ましい。なお、前記角度θ１及びθ２の好ましい範囲が、この実施形態においても適用できる。
【００３４】
また図４（ｂ）に示すように、制音具７は、スポンジ材１２のタイヤ半径方向の外面１２ａがタイヤ内腔面６に固着されてもよい。固着方法としては、前述の前記両面テープ２０及び／又は前記接着剤２１などが好適である。また、この実施形態においても、図６の実施形態のように、突合面８が基準面Ｄｓに対して、該基準面Ｄｓを通るタイヤ軸方向線Ｌｓの回りで傾けて設けられる場合でも、突合面８は、スポンジ材１２のタイヤ半径方向の内面１２ｂから外面１２ａに向かってタイヤ回転方向Ｔに対して先着側へ傾けられるのが望ましい。
【００３５】
また、図１０に示されるように、制音具７は、タイヤ内腔面６への取付向きを指定する表示部９をそのタイヤ半径方向の内周面側（内面１２ｂ側）に有する。本実施形態の表示部９は、タイヤ回転方向Ｔと一致させるために、その回転方向を示す第１の表示部１０と、スポンジ材１２の内面１２ｂ側であることを示す第２の表示部１１とを含む。
【００３６】
前記第１の表示部１０は、例えば回転方向を示す矢印等のマークからなり、また、第２の表示部１１は、内側であることを示す文字（例えばINSIDEなど）や模様等で構成される。このような表示部９は、例えば制音具７の突合面８が図６又は図９の態様のように傾斜する場合、突合面８の傾斜の向きをタイヤの回転方向に対していずれかに特定したい場合、装着ミスを防止するのに役立つ。また、表示部９を凹凸からなる立体模様としたときには、肉眼のみならず、装着時の手触りによっても表示部９を迅速に確認しうる点で望ましい。なお、このような前記表示部９を制音具７に付する方法としては、例えば焼印、印刷、シール及び／又はエンボス加工等、種々の方法を挙げることができる。
【００３７】
前記表示部９は、突合面８の近傍、例えば突合面８からタイヤ周方向に４０cm以内の領域Ｔａに設けられることが好ましい。このように、表示部９を突合面８の近傍に設けることによって、作業者は、制音具７をタイヤ３に取り付ける際に、スポンジ材１２の端面１２ｅを突き合わせる際に容易に表示部９を確認できる。特に、前述のように、表示部９が立体模様からなる場合には、その手触りによっても表示部９を迅速に確認することができる。なお、前記領域Ｔａは、スポンジ材１２の内面１２ｂと突合面８との境界線８ｉからタイヤ周方向に４０cmの領域とし、図８、図９のように突合面８の境界線８ｉがタイヤ軸方向に対して傾斜している場合は、境界線８ｉの中間点からの距離とする。
【００３８】
以上、本発明の特に好ましい形態について詳述したが、本発明は図示の実施形態に限定されることなく、種々の態様に変形して実施し得る。
【実施例】
【００３９】
表１の仕様で制音具を試作し、それらの諸性能についてテストを行なった。なお、比較例１は、継目のない環状に形成された制音具である。また、比較例２は、スポンジ材の端面が突き合わされずに離間した制音具である。比較例３は、スポンジ材の端面が凹凸面状に形成されるとともに、突合面も凹凸面状に形成された制音具である。
なお、共通仕様は次の通りである。
タイヤサイズ：２１５／４５Ｒ１７
リムサイズ：１７×７ＪＪ
内圧：２００ｋＰａ
制音具の仕様など
材料：エーテル系ポリウレタンスポンジ（丸鈴（株）製「Ｅ１６」）
比重：０．０１６
断面形状：幅１００mm×厚さ２０mmの横長矩形状
突合面の固着方法：長尺のスポンジ材の端面を、両面粘着テープ（住友スリーエム(株）製「４６８ＭＰ」で幅５０mm）で継ぎ合わせて環状とした。
タイヤ内腔面への固着方法（実施例１２のみ）：タイヤ内腔面のトレッド領域に上記両面粘着テープで貼り付けた。
【００４０】
＜制音具の加工時間＞
長尺に裁断されたスポンジ材１０本を環状に加工するのに必要な時間が測定された。なお、タイヤ内腔面に固着される制音具の場合、タイヤ内腔面への接着時間も含めた。数値が小さいほど加工効率が高く良好である。
【００４１】
＜耐久性１＞
制音具１本当たり突合面を２０個有する各制音具付き空気入りタイヤを、上記リムにリム組みし、下記の条件でドラム試験機上を２００００km走行させ、それぞれの時点において、制音具の突合面の剥離の有無を肉眼により確認し、剥離の数を確認した。剥離の数が少ない程良好である。
荷重：４．０ｋＮ
走行速度：１００km／ｈ
ドラム直径：１．７ｍ
【００４２】
＜耐久性２＞
制音具１本当たり突合面を１個有する各制音具付き空気入りタイヤを、上記リムにリム組みし、下記の条件でドラム試験機上を走行させ、走行距離１０００kmごとに、制音具の突合面の剥離の有無を肉眼で確認し、剥離が発生するまでの距離を測定した。評価は、比較例１を１００とする指数で表示した。数値が大きいほど良好である。
荷重：４．０ｋＮ
走行速度：１００km／ｈ
ドラム直径：１．７ｍ
【００４３】
＜製造コスト＞
突合面を１個有する制音具付空気入りタイヤ１本当たりの製造コスト（人件費含む）を比較例１を１００とする指数で表示した。数値が小さい程良好である。
【００４４】
＜振動の有無＞
各タイヤを乗用車に装着してアスファルトスムース路面を速度６０km／ｈで走行し、ドライバーの聴覚によって走行時の振動の有無を確認した。
【００４５】
＜輸送時の耐久性＞
リムに装着されていない平積みされた制音具付き空気入りタイヤを、約１５ｍ転がしてトラックの荷台に積載した後、再び、荷台からタイヤを落下させ、元の場所までタイヤを転がして平積みした。そして、各例毎にタイヤを３０本テストし、制音具のタイヤ内腔面への装着が維持されているかを確認した。装着が維持されているものを「ＯＫ」とし、タイヤ内腔面から外れたものについては、本数を記載した。
テストの結果などを表１に示す。
【００４６】
【表１】
0004796641.tif 000002
0004796641.tif 000003
0004796641.tif 000004
テストの結果、実施例の制音具付き空気入りタイヤは、制音具の製造コストを低減し得るとともに、走行時の振動を抑制した。また、走行時の振動を測定した際に、空洞共鳴の抑制効果を維持し得ることも確認できた。
【図面の簡単な説明】
【００４７】
【図１】制音具付き空気入りタイヤの一形態を例示する断面図である。
【図２】そのタイヤ赤道に沿った断面図である。
【図３】（ａ）はスポンジ材の部分斜視図、（ｂ）はそれを環状に形成した制音具の斜視図である。
【図４】（ａ）制音具の突合面近傍を拡大して示す部分断面図、（ｂ）は、他の実施形態の部分断面図である。
【図５】（ａ）は参考例の制音具の継ぎ目の正面図、（ｂ）はそのＡ−Ａ断面図、（ｃ）は制音具の継ぎ目の部分斜視図である。
【図６】（ａ）は本発明の実施形態の制音具の継ぎ目の正面図、（ｂ）はそのＢ−Ｂ断面図、（ｃ）は制音具の継ぎ目の部分斜視図である。
【図７】（ａ）は図６の突合面を持つ制音具断面図、（ｂ）突合面がタイヤ回転方向に対して後着側へ傾く制音具の断面図である。
【図８】（ａ）は他の実施形態の制音具の継ぎ目の正面図、（ｂ）はそのＣ−Ｃ断面図、（ｃ）は制音具の継ぎ目の部分斜視図である。
【図９】（ａ）は他の実施形態の制音具の継ぎ目の正面図、（ｂ）はそのＤ−Ｄ断面図、（ｃ）は制音具の継ぎ目の部分斜視図である。
【図１０】表示部を具えた制音具を示す部分断面図である。
【符号の説明】
【００４８】
１  制音具付き空気入りタイヤ
３  空気入りタイヤ
７  制音具
８  突合面
１２  スポンジ材
１２ｅ  スポンジ材の端面
Ｄｓ  基準面
【図１】
0004796641.tif 000005
【図２】
0004796641.tif 000006
【図３】
0004796641.tif 000007
【図４】
0004796641.tif 000008
【図５】
0004796641.tif 000009
【図６】
0004796641.tif 000010
【図７】
0004796641.tif 000011
【図８】
0004796641.tif 000012
【図９】
0004796641.tif 000013
【図１０】
0004796641.tif 000014